(57)【特許請求の範囲】
【請求項１】
第１の筐体と、
第２の筐体と、
前記第１の筐体又は前記第２の筐体のいずれかに配置され、グランド部、給電部、及び該給電部に接続された信号処理部を有する回路部と、
前記第１の筐体に配置され前記グランド部に電気的に接続される第１の導電部と、
前記第２の筐体に配置される第２の導電部及び第３の導電部と、
前記第２の導電部及び前記第３の導電部と、前記給電部との接続状態を選択可能に構成された選択部と、
前記選択部による前記接続状態の選択を制御する制御部とを備え、
前記選択部は、前記第２の導電部と前記給電部とが接続され、前記第３の導電部と前記給電部とが接続される第１の接続状態、又は前記第２の導電部と前記給電部とが接続される、或いは前記第３の導電部と前記給電部とが接続される第２の接続状態を選択可能に構成され、
前記制御部は、所定の条件に基づいて、前記第１の接続状態又は前記第２の接続状態のいずれかを選択するように前記選択部を制御することを特徴とする携帯端末。
【請求項２】
前記制御部は、前記第１の接続状態における受信感度が所定の閾値以下であるか否かを前記所定の条件として用い、前記第１の接続状態における受信感度が前記所定の閾値以下である場合には、前記第２の接続状態を選択するように前記選択部を制御することを特徴とする請求項１に記載の携帯端末。
【請求項３】
前記制御部は、前記第１の接続状態における受信感度と、前記第２の接続状態における受信感度との比較を前記所定の条件として用い、受信感度が高い方の接続状態を選択するように前記選択部を制御することを特徴とする請求項１に記載の携帯端末。
【請求項４】
前記第２の筐体には、ケース部材が配置され、
前記制御部は、前記第２の筐体及び前記ケース部材への接触の検出を前記所定の条件として用い、前記第２の筐体への接触が検出された場合には、前記第１の接続状態及び前記第２の接続状態において前記第３の導電部と前記給電部とを選択するように前記選択部を制御し、前記ケース部材への接触が検出された場合には、前記第１の接続状態及び前記第２の接続状態において前記第２の導電部と前記給電部とを選択するように前記選択部を制御することを特徴とする請求項１に記載の携帯端末。
【請求項５】
前記制御部は、携帯端末本体の電力の消費を抑制するか否かを前記所定の条件として用い、電力の消費を抑制する場合には、前記第１の接続状態及び前記第２の接続状態を選択させず、電力の消費を抑制しない場合には、前記第１の接続状態又は前記第２の接続状態を選択するように前記選択部を制御することを特徴とする請求項１に記載の携帯端末。
【請求項６】
前記制御部は、前記所定の条件として所定のアプリケーションプログラムに対する入力操作に基づいて、前記第１の接続状態又は前記第２の接続状態を選択するように前記選択部を制御することを特徴とする請求項１に記載の携帯端末。
【発明の詳細な説明】
【技術分野】
【０００１】
本発明は、第１の筐体と第２の筐体を有する携帯端末に関する。
【背景技術】
【０００２】
携帯端末には、第１の筐体と第２の筐体とから構成され、使用態様に応じてヒンジ部を介して開状態と閉状態とに移行可能に構成される折り畳み型のものがある。このような折り畳み型の携帯端末は、アンテナを介して外部と通信を行う通信機能を有している。ここで、携帯端末のアンテナは、通信を行う際に、ユーザによって使用されたときに、その使用状態によっては人体の影響により利得が下がり、高い通信品質を担保することができなくなる。【０００３】
そこで、第１の筐体に配置された第１の導電部と第２の筐体に配置された第２の導電部のいずれか一方を給電し、いずれか他方をグランド（接地状態）にすることにより、使用状態に左右されずに高い通信品質を担保する技術が提案されている。例えば、特許文献１によれば、第１の導電部と第２の導電部のいずれか一方をアンテナとして利用することにより、ユーザの手によって一部が覆われたとしてもアンテナの利得の低減を抑えることができる。
【先行技術文献】
【特許文献】
【０００４】
【特許文献１】特開２００２−３３５１８０号公報
【発明の概要】
【発明が解決しようとする課題】
【０００５】
しかし、特許文献１に開示された技術であっても、使用状態によっては高い通信品質を担保するのは困難である。したがって、さらなる通信品質の向上を図ることのできる技術が望まれている。【０００６】
本発明は、上述のような課題に鑑みてなされたものであり、その目的の一つは、さらなる通信品質の向上を図ることのできる携帯端末を提供することにある。
【課題を解決するための手段】
【００１０】
本発明に係る携帯端末は、第１の筐体と、第２の筐体と、前記第１の筐体又は前記第２の筐体のいずれかに配置され、グランド部、給電部、及び該給電部に接続された信号処理部を有する回路部と、前記第１の筐体に配置され前記グランド部に電気的に接続される第１の導電部と、前記第２の筐体に配置される第２の導電部及び第３の導電部と、前記第２の導電部及び前記第３の導電部と、前記給電部との接続状態を選択可能に構成された選択部と、前記選択部による前記接続状態の選択を制御する制御部とを備え、前記選択部は、前記第２の導電部と前記給電部とが接続され、前記第３の導電部と前記給電部とが接続される第１の接続状態、又は前記第２の導電部と前記給電部とが接続される、或いは前記第３の導電部と前記給電部とが接続される第２の接続状態を選択可能に構成され、前記制御部は、所定の条件に基づいて、前記第１の接続状態又は前記第２の接続状態のいずれかを選択するように前記選択部を制御することを特徴とする。
【００１１】
また、前記制御部は、前記第１の接続状態における受信感度が所定の閾値以下であるか否かを前記所定の条件として用い、前記第１の接続状態における受信感度が前記所定の閾値以下である場合には、前記第２の接続状態を選択するように前記選択部を制御することが好ましい。
【００１２】
また、前記制御部は、前記第１の接続状態における受信感度と、前記第２の接続状態における受信感度との比較を前記所定の条件として用い、受信感度が高い方の接続状態を選択するように前記選択部を制御することが好ましい。
【００１３】
また、前記第２の筐体には、ケース部材が配置され、前記制御部は、前記第２の筐体及び前記ケース部材への接触の検出を前記所定の条件として用い、前記第２筐体への接触が検出された場合には、前記第１の接続状態及び前記第２の接続状態において前記第３の導電部と前記給電部とを選択するように前記選択部を制御し、前記ケース部材への接触が検出された場合には、前記第１の接続状態及び前記第２の接続状態において前記第２の導電部と前記給電部とを選択するように前記選択部を制御することが好ましい。
【００１４】
また、前記制御部は、携帯端末本体の電力の消費を抑制するか否かを前記所定の条件として用い、電力の消費を抑制する場合には、前記第１の接続状態及び前記第２の接続状態を選択させず、電力の消費を抑制しない場合には、前記第１の接続状態又は前記第２の接続状態を選択するように前記選択部を制御することが好ましい。
【００１５】
また、前記制御部は、前記所定の条件として所定のアプリケーションプログラムに対する入力操作に基づいて、前記第１の接続状態又は前記第２の接続状態を選択するように前記選択部を制御することが好ましい。
【発明の効果】
【００２０】
本発明によれば、さらなる通信品質の向上を図ることのできる携帯端末を提供することができる。
【図面の簡単な説明】
【００２１】
【図１】本実施形態に係る携帯電話装置の外観を示す図である。
【図２】本実施形態に係る携帯電話装置における操作部側筐体部の分解斜視図である。
【図３】本実施形態に係る携帯電話装置における表示部側筐体部の分解斜視図である。
【図４】本実施形態に係る携帯電話装置の構成を模式的に示す図である。
【図５】本実施形態に係る携帯電話装置の構成を模式的に示す図である。
【図６】第１のケース部材が操作部側筐体部に連結されている様子を模式的に示す図である。
【図７】第１のケース部材のバリエーションを模式的に示す図である。
【図８】本実施形態に係る携帯電話装置の構成を模式的に示す図である。
【図９】第２のケース部材が表示部側筐体部に連結されている様子を模式的に示す図である。
【図１０】第２のケース部材のバリエーションを模式的に示す図である。
【図１１】本実施形態に係る携帯電話装置の構成を模式的に示す図である。
【図１２】本実施形態に係る携帯電話装置の構成を模式的に示す図である。
【図１３】本実施形態に係る携帯電話装置の構成を模式的に示す図である。
【図１４】アンテナの放射素子における使用周波数帯の関係について示す図である。
【図１５】本実施形態に係る携帯電話装置の構成を模式的に示す図である。
【図１６】本実施形態に係る携帯電話装置の構成を模式的に示す図である。
【発明を実施するための形態】
【００２２】
以下、本発明の実施の形態について説明する。図１は、本発明に係る携帯端末の一例である携帯電話装置１の外観斜視図を示す。なお、以下では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２３】
図１に示すように、携帯電話装置１は、操作部側筐体部２と、表示部側筐体部３と、を備える。操作部側筐体部２（第１の筐体）と表示部側筐体部３（第２の筐体）とは、ヒンジ機構を備える連結部４を介して開閉可能に連結される。具体的には、操作部側筐体部２の上端部と表示部側筐体部３の下端部とは、連結部４を介して連結される。これにより、携帯電話装置１は、ヒンジ機構を介して連結された操作部側筐体部２と表示部側筐体部３とを相対的に動かすことが可能となる。つまり、携帯電話装置１は、操作部側筐体部２と表示部側筐体部３とが開いた状態（開状態）と、操作部側筐体部２と表示部側筐体部３とが折り畳まれた状態（閉状態）とにすることができる。ここで、閉状態とは、両筐体が互いに重なるように配置された状態であり、開状態とは、両筐体が互いに重ならないように配置された状態をいう。
【００２４】
操作部側筐体部２は、外面がフロントケース２ａとリアケース２ｂとにより構成される。操作部側筐体部２は、フロントケース２ａ側に、操作キー群１１と、携帯電話装置１の使用者が通話時に発した音声が入力されるマイクとしての音声入力部１２とがそれぞれ露出するように構成される。
【００２５】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体部２と表示部側筐体部３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００２６】
音声入力部１２は、操作部側筐体部２の長手方向における連結部４側と反対の外端部側に配置される。つまり、音声入力部１２は、携帯電話装置１が開状態において一方の外端部側に配置される。
【００２７】
操作部側筐体部２における一方側の側面には、外部機器（例えば、ホスト装置）と通信を行うためのインターフェース（図示せず）が配置される。操作部側筐体部２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
この操作部側筐体部２のリアケース２ｂの外面には、第１のケース部材３０が配置される（図２参照）。
【００２８】
表示部側筐体部３は、外面がフロントパネル３ａと、フロントケース３ｂと、リアケース３ｃと、リアパネル３ｄとにより構成される（図３参照）。また、リアパネル３ｄの外面には、ケース部材としての第２のケース部材４３が配置される（図３参照）。
表示部側筐体部３には、各種情報を表示するためのディスプレイ２１と、通話の相手側の音声を出力するレシーバとしての音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、が外部に露出するように配置される。
ディスプレイ２１は、液晶パネルと、この液晶パネルを駆動する駆動回路と、この液晶パネルの背面側から光を照射するバックライト等の光源部とから構成される。
【００２９】
図２は、操作部側筐体部２の分解斜視図である。図２に示すように、操作部側筐体部２は、フロントケース２ａと、キー構造部４０と、キー基板５０と、シールドケース６０と、回路基板７０と、バッテリリッド２ｃを備えたリアケース２ｂと、第１のケース部材３０と、バッテリ８１とを備える。
【００３０】
フロントケース２ａとリアケース２ｂとは、互いの凹状の内側面が向き合うように配置され、互いの外周縁が重なり合うようにして結合される。また、リアケース２ｂの外面には、第１のケース部材３０が連結されている。この第１のケース部材３０は、リアケース２ｂに対して相対移動可能に連結される（図６参照）。また、フロントケース２ａとリアケース２ｂとの間には、キー構造部４０と、ＦＰＣ部９０を有するキー基板５０と、シールドケース６０と、回路基板７０とが挟まれるようにして配置される。
【００３１】
フロントケース２ａには、携帯電話装置１を折り畳んだ状態で表示部側筐体部３のディスプレイ２１と対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押し下げるように押圧することで、対応するキースイッチ５１、５２、５３それぞれに設けられる後述のメタルドーム（椀状形状）の頂点が押圧され、スイッチ端子に接触して電気的に導通する。
【００３２】
キー構造部４０は、操作部材４０Ａと、補強部材としてのキーフレーム４０Ｂと、シート部材としてのキーシート４０Ｃと、により構成される。
【００３３】
操作部材４０Ａは、複数のキー操作部材により構成される。具体的には、機能設定操作キー部材１３ｂと、入力操作キー部材１４ｂと、決定操作キー部材１５ｂとにより構成される。操作部材４０Ａを構成する各操作キー部材それぞれは、後述するキーフレーム４０Ｂを挟んでキーシート４０Ｃに接着される。キーシート４０Ｃに接着された各操作キー部材それぞれにおける押圧面は、上述の通り、キー孔１３ａ、１４ａ、１５ａそれぞれから外部に露出して配置される。
【００３４】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。また、キーフレーム４０Ｂは導電性の部材であり、入力操作キー部材１４ｂにおける静電気を逃がすための部材としても機能する。キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３５】
キーシート４０Ｃは、可撓性を有するシリコンゴム製のシート状部材である。キーシート４０Ｃには、上述の通り、複数の凸部１４ｄが形成される。複数の凸部１４ｄは、キーシート４０Ｃにおけるキーフレーム４０Ｂが配置される側の面に形成される。この複数の凸部１４ｄそれぞれは、後述するキースイッチ５２に対応する位置に形成される。
【００３６】
キー基板５０は、キーシート４０Ｃ側の面である第１面５０ａに配置される複数のキースイッチ５１、５２、５３を有する。複数のキースイッチ５１、５２、５３、それぞれは、各操作部材４０Ａに対応する位置に配置される。キー基板５０に配置されるキースイッチ５１、５２、５３は、椀状に湾曲して立体的に形成された金属板のメタルドームを有する構造になっている。メタルドームは、その椀状形状の頂点が押圧されると、キー基板５０の表面に印刷された電気回路（図示せず）に形成されるスイッチ端子に接触して電気的に導通するように構成される。また、キー基板５０における第２面５０ｂ側には、複数の電極配線が形成される。このキー基板５０は、基板としてのＦＰＣ部９０を介して回路基板７０と電気的に接続される。
【００３７】
シールドケース６０は、平面視矩形で、回路基板７０側の面が開放された薄型の箱状である。このシールドケース６０は、金属材料により形成されており、導電性を有する。
【００３８】
回路基板７０は、一方の面７０ａに形成された基準電位パターン層７５（第１の導電部）を有する。また、この回路基板７０には、携帯電話装置用のＲＦモジュール等の各種電子部品（図示せず）や高周波信号の処理を行うＲＦ回路部３３（回路部）が実装されている。
【００３９】
図３は、表示部側筐体部３の分解斜視図である。図３に示すように、表示部側筐体部３は、フロントパネル３ａと、フロントケース３ｂと、ディスプレイ２１と、ディスプレイ２１が接続された回路基板８０と、リアケース３ｃと、リアパネル３ｄとを備える。また、リアパネル３ｄの外面には、第２のケース部材４３が連結されている。この第２のケース部材４３は、リアパネル３ｄに対して相対移動可能に連結される（図９参照）。また、表示部側筐体部３においては、フロントパネル３ａと、フロントケース３ｂと、ディスプレイ２１と、回路基板８０と、リアケース３ｃと、リアパネル３ｄと、第２のケース部材４３とが積層的に配置される。
【００４０】
図３に示すように、フロントケース３ｂとリアケース３ｃとは、互いの凹状の内側面が向き合うように配置され、互いの外周縁が重なり合うようにして結合される。また、フロントケース３ｂとリアケース３ｃとの間には、ディスプレイ２１と、回路基板８０とが挟まれるようにして内蔵される。また、回路基板８０には、基準電位パターン層（第２の導電部）が形成されている。
【００４１】
また、携帯電話装置１では、操作部側筐体部２と表示部側筐体部３との間において、図示しないフレキシブルプリント基板（Ｆｌｅｘｉｂｌｅ  Ｐｒｉｎｔｅｄ  Ｃｉｒｃｕｉｔｓ：以下ＦＰＣと称す）により、表示部側筐体部３の内部に配設されている回路基板８０と、操作部側筐体部２の内部に配設されている回路基板７０とが電気的に接続されている。
【００４２】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００４３】
本発明に係る携帯電話装置１は、操作部側筐体部２に係る構成及び表示部側筐体部３に係る構成のいずれか一方側をアンテナの放射素子とし、他方側をアンテナのグランド部として、筐体全体によって１個のアンテナ（例えば、ダイポールアンテナ）を構成しており、受信感度の調整を簡易に行うことができる機能を有している。
【００４４】
ここで、当該機能を発揮するための構成について、図４乃至図１６に示す模式図を用いて説明する。なお、以下では、操作部側筐体部２に係る構成及び表示部側筐体部３に係る構成によって構成されるアンテナは、例えば、地上波デジタル放送を受信するものと想定して説明するが、これに限られず、ＣＤＭＡ（Ｃｏｄｅ  Ｄｉｖｉｓｉｏｎ  Ｍｕｌｔｉｐｌｅ  Ａｃｃｅｓｓ）通信に利用されるメインアンテナ等、他のアンテナとして利用されても良い。
【００４５】
＜第１の実施例＞
携帯電話装置１は、図４に示すように、操作部側筐体部２と、表示部側筐体部３と、回路部３３と、第１の導電部３４と、第２の導電部３５と、を有する。操作部側筐体部２は、外観を形成する第１のケース部材３０を有する。なお、第２の導電部３５は、例えば、図示しない回路基板のグランドパターン、シールドケース、表示部側筐体部３を形成する導電部材等により構成される。
【００４６】
回路部３３は、操作部側筐体部２と表示部側筐体部３のいずれか一方に配置され、グランド部３１と、給電部３２と、信号処理部としての無線回路部３６とを有する。なお、無線回路部３６は、アンテナ特性に影響がないようグランド部３１と同電位に構成される。第１の導電部３４は、第１のケース部材３０に形成されており、グランド部３１に電気的に接続されている。第２の導電部３５は、表示部側筐体部３に配置され、給電部３２に電気的に接続されている。また、給電部３２に供給された信号は、ＲＦ回路を含んで構成されている無線回路部３６に供給されて所定の処理が実行される。また、第１のケース部材３０は、全体が第１の導電部３４により形成されていても良いし、一部が第１の導電部３４により形成されていても良い。
【００４７】
このような構成によれば、表示部側筐体部３は第２の導電部３５を介して給電部３２に電気的に接続されているためアンテナの放射素子としての機能を発揮する。また、第１のケース部材３０は、第１の導電部３４を介してグランド部３１に接続されているためアンテナのグランド部としての機能を発揮する。
【００４８】
したがって、携帯電話装置１は、操作部側筐体部２の外観を形成する第１のケース部材３０をアンテナのグランド部として利用することができるので、アンテナを構成する場合における筐体内部構造の複雑化を低減することができる。また、携帯電話装置１は、操作部側筐体部２の外観を形成する第１のケース部材３０をアンテナのグランド部として利用するので、操作部側筐体部２の内部にアンテナのグランド部が配置される揚合に比べて、グランド部を操作部側筐体部２の内部の各種導電性部材とを離間させることができ、アンテナ特性の向上を図ることができる。
【００４９】
なお、上述では、携帯電話装置１は、回路部３３にグランド部３１が設けられ、第１の導電部３４はグランド部３１に電気的に接続されるものとして説明したが、これに限られない。グランド部３１と第１の導電部３４とが同電位であれば良く、第１の導電部３４は、直接的にグランド部３１に接続されず容量的に接続されていても良い。
【００５０】
また、第１のケース部材３０をアンテナの放射素子とし、操作部側筐体部２又は表示部側筐体部３をアンテナのグランド部にして構成されても良い。このように構成される場合には、図５に示すように、第１の導電部３４は、第１のケース部材３０に形成され、かつ給電部３２を介して無線回路部３６に電気的に接続され、また、第２の導電部３５は、表示部側筐体部３に配置され、かつグランド部３１に電気的に接続される。
【００５１】
また、携帯電話装置１では、第１のケース部材３０は、操作部側筐体部２に対して相対移動可能に操作部側筐体部２に連結される構成であることが好ましい。具体的には、第１のケース部材３０は、図６に示すように、操作部側筐体部２のリアケース２ｂ（操作キー群１１が配置されていない面）の充電池を収納するバッテリリッド２ｃであって、一方端側が操作部側筐体部２に相対移動が可能に連結されている。また、操作部側筐体部２と第１のケース部材３０とを連結する連結部材は、角度調整が可能な機構によって構成されている。したがって、第１のケース部材３０は、操作部側筐体部２の平面を基準として、所定の角度に調整することができる。
【００５２】
したがって、携帯電話装置１は、第１のケース部材３０を操作部側筐体部２に対して相対移動させることにより、外部に取り付けられたロッドアンテナのように、アンテナ特性の調整が可能となり、第１のケース部材３０の更なる有効活用を図ることができる。また、携帯電話装置１は、第１のケース部材３０が操作部側筐体部２を支持する支持部材としても機能させることができるので、例えば、机等の上に安定的に載置することができる。
【００５３】
また、携帯電話装置１では、第１のケース部材３０は、金属で形成されることが好ましい。こうすることにより、携帯電話装置１は、第１のケース部材３０が金属で形成されることにより、操作部側筐体部２の強度の向上も併せて図ることができる。
【００５４】
また、携帯電話装置１では、第１のケース部材３０は、化粧ケースであることが好ましい。第１のケース部材３０は、例えば、図７に示すように、意匠の異なるケース部材３０ａや、ケース部材３０ｂや、ケース部材３０ｃ等がある。したがって、ユーザは、好みや使用の用途に応じて第１のケース部材３０を適宜交換することができる。
【００５５】
このように構成されることにより、携帯電話装置１は、デザイン性の向上を目的として着脱可能に構成される化粧ケースが第１の導電部３４として利用されるため、第１のケース部材３０の有効活用を図ることができる。
【００５６】
また、携帯電話装置１では、操作部側筐体部２と表示部側筐体部３とは、連結部４を介して細線同軸ケーブルやフレキシブルケーブル等によって電気的な導通が図られている。したがって、回路部３３が表示部側筐体部３に配置されている場合には、当該細線同軸ケーブルやフレキシブルケーブル等を利用して操作部側筐体部２に対して電気的な接続が図られる。
【００５７】
＜第２の実施例＞
つぎに、第２の実施例について説明する。第１の実施例では、第１のケース部材３０が操作部側筐体部２に形成されている場合について説明したが、第２の実施例では、第１のケース部材３０とその用途、機能及び形態において共通する第２のケース部材４３が表示部側筐体部３に形成されている場合について説明する。
【００５８】
携帯電話装置１は、図８に示すように、操作部側筐体部２と、表示部側筐体部３と、回路部３３と、第１の導電部３４と、第２の導電部３５と、を有する。なお、第１の導電部３４は、例えば、図示しない回路基板のグランドパターン、シールドケース、操作部側筐体部２を形成する導電部材等により構成される。
【００５９】
表示部側筐体部３は、外観を形成する第２のケース部材４３を有する。回路部３３は、操作部側筐体部２と表示部側筐体部３のいずれか一方に配置され、グランド部３１と、給電部３２と、無線回路部３６とを有する。なお、無線回路部３６は、アンテナ特性に影響がないようグランド部３１と同電位に構成される。第１の導電部３４は、操作部側筐体部２に配置され、グランド部３１に電気的に接続されている。第２の導電部３５は、表示部側筐体部３に配置され、給電部３２に電気的に接続されており、第２のケース部材４３に形成される。また、給電部３２に供給された信号は、ＲＦ回路を含んで構成されている無線回路部３６に供給されて所定の処理が実行される。また、第２のケース部材４３は、全体が第２の導電部３５により形成されていても良いし、一部が第２の導電部３５により形成されていても良い。
【００６０】
このような構成によれば、第２のケース部材４３は、第２の導電部３５を介して給電部３２に電気的に接続されているためアンテナの放射素子としての機能を発揮する。また、操作部側筐体部２は、第１の導電部３４を介してグランド部３１に接続されているためアンテナのグランド部としての機能を発揮する。
【００６１】
したがって、携帯電話装置１は、表示部側筐体部３の外観を形成する第２のケース部材４３をアンテナの放射素子として利用することができる。よって、携帯電話装置１は、アンテナを構成する場合における筐体内部構造の複雑化を低減することができる。また、携帯電話装置１は、表示部側筐体部３の外観を形成する第２のケース部材４３をアンテナの放射素子として利用するので、表示部側筐体部３の内部にアンテナの放射素子が配置される揚合に比べて、アンテナの放射素子を表示部側筐体部３の内部の各種導電性部材とを離間させることができ、アンテナ特性の向上を図ることができる。
【００６２】
なお、上述では、携帯電話装置１は、回路部３３にグランド部３１が設けられ、第１の導電部３４はグランド部３１に電気的に接続されものとして説明したが、これに限られない。グランド部３１と第１の導電部３４とが同電位であれば良く、第１の導電部３４は、直接的にグランド部３１に接続されていなくても良い。
【００６３】
また、携帯電話装置１では、第２のケース部材４３は、表示部側筐体部３に対して相対移動可能に表示部側筐体部３に連結される構成であることが好ましい。具体的には、第２のケース部材４３は、図９に示すように、表示部側筐体部３のリアパネル３ｄ（ディスプレイ２１が配置されていない面）の上面であって、一方端側が表示部側筐体部３に相対移動が可能に連結されている。また、表示部側筐体部３と第２のケース部材４３とを連結する連結部材は、角度調整が可能な機構によって構成されている。したがって、第２のケース部材４３は、操作部側筐体部２の平面を基準として、所定の角度に調整することができる。
【００６４】
したがって、携帯電話装置１は、第２のケース部材４３を表示部側筐体部３に対して相対移動させることにより、外部に取り付けられたロッドアンテナのように、アンテナ特性の調整が可能となる。よって、携帯電話装置１は、第２のケース部材４３の更なる有効活用を図ることができる。また、携帯電話装置１は、第２のケース部材４３が表示部側筐体部３を支持する支持部材としても機能させることができるので、例えば、机等の上に安定的に載置することができる。
【００６５】
また、携帯電話装置１では、第２のケース部材４３は、金属で形成されることが好ましい。したがって、携帯電話装置１は、第２のケース部材４３が金属で形成されることにより、表示部側筐体部３の強度の向上も併せて図ることができる。
【００６６】
また、携帯電話装置１では、第２のケース部材４３は、化粧ケースであることが好ましい。第２のケース部材４３は、例えば、図１０に示すように、意匠の異なるケース部材４３ａや、ケース部材４３ｂや、ケース部材４３ｃ等がある。したがって、ユーザは、好みや使用の用途に応じて第２のケース部材４３を適宜交換することができる。
【００６７】
このように構成されることにより、携帯電話装置１は、デザイン性の向上を目的として着脱可能に構成される化粧ケースが第１の導電部３４として利用されるため、第２のケース部材４３の有効活用を図ることができる。
【００６８】
＜第３の実施例＞
つぎに、第３の実施例について説明する。基本的な構成は、第２の実施例で説明した構成である。第３の実施例では、携帯電話装置１は、第２のケース部材４３に形成された第２の導電部３５に加えて、表示部側筐体部３に内蔵されている回路基板８０に形成された第３の導電部３７を有する。携帯電話装置１は、図１１に示すように、第２のケース部材４３（第２の導電部３５）と給電部３２とが接続された第１の接続状態、又は回路基板８０（第３の導電部３７）と給電部３２とが接続された第２の接続状態を選択可能に構成された選択部としての切り替えスイッチ６４と、この切り替えスイッチ６４による第１の接続状態又は第２の接続状態の選択を制御する制御部６３とを備える。
【００６９】
また、操作部側筐体部２に内蔵されている回路基板７０は、グランド部３１に電気的に接続されてアンテナのグランド部としての機能を発揮する。また、第２のケース部材４３と回路基板８０とは、ともに切り替えスイッチ６４を介して給電部３２に電気的に接続されてアンテナの放射素子としての機能を発揮する。
【００７０】
ここで、制御部６３の動作について説明する。制御部６３は、第２のケース部材４３をアンテナの放射素子とするために切り替えスイッチ６４を制御して、第２のケース部材４３に係る第２の導電部３５を無線回路部３６に接続し、共振感度（受信感度）Ａを検出する。また、制御部６３は、回路基板８０をアンテナの放射素子とするために切り替えスイッチ６４を制御して、回路基板８０に係る第３の導電部３７を無線回路部３６に接続し、共振感度（受信感度）Ｂを検出する。制御部６３は、共振感度Ａと共振感度Ｂとを対比して、共振感度Ａが共振感度Ｂよりも高い場合には、第２のケース部材４３がアンテナの放射素子になるように切り替えスイッチ６４を制御し、共振感度Ａが共振感度Ｂよりも低い場合には、回路基板８０がアンテナの放射素子になるように切り替えスイッチ６４を制御する。なお、制御部６３は、共振感度Ａと共振感度Ｂの対比を所定時間間隔（例えば、所定の周期で行われる間欠受信を行う間隔）で実行する。
【００７１】
したがって、携帯電話装置１は、共振感度に応じてアンテナの放射素子を第２のケース部材４３又は回路基板８０に適応的に切り替える機能（ダイバーシティ受信機能）を有するので、最適な受信感度を得ることができる。
【００７２】
また、携帯電話装置１は、所定の周期で行われる間欠受信の際に制御部６３の制御が行われるので、本実施例に係る制御部６３の動作を実行するためだけに電力を供給する必要がなく、省電力化を図ることができる。また、携帯電話装置１は、所定の周期で制御が行われるため、アンテナ特性の低下を継続的に抑制することができる。
【００７３】
また、制御部６３は、共振感度ではなく、接触状態、温度変化若しくは光度変化に基づいて切り替えスイッチ６４を切り替える構成であっても良い。具体的には、携帯電話装置１は、接触状態、温度変化若しくは光度変化を検出する検出部（不図示）を備えている。
【００７４】
＜接触状態を検出＞
検出部は、ユーザによる接触を検出するために、第２のケース部材４３及び表示部側筐体部３における第２のケース部材４３以外の所定の部分（ユーザが接触しそうな部分）にタッチセンサの検出素子を配置し、当該検出素子によりユーザの接触を検出する。制御部６３は、検出部により第２のケース部材４３が接触されていると検出された場合には、回路基板８０がアンテナの放射素子になるように切り替えスイッチ６４を制御する。また、制御部６３は、検出部により表示部側筐体部３が接触されていると検出された場合には、第２のケース部材４３がアンテナの放射素子になるように切り替えスイッチ６４を制御する。
【００７５】
＜温度変化を検出＞
また、検出部は、ユーザによる接触を検出するために、第２のケース部材４３及び表示部側筐体部３における第２のケース部材４３以外の所定の部分（ユーザが接触しそうな部分）に温度センサの検出素子を配置し、当該検出素子により温度変化を検出する。制御部６３は、検出部により第２のケース部材４３が所定の温度範囲内の温度（例えば、３０℃〜４０℃）であると検出された場合には、回路基板８０がアンテナの放射素子になるように切り替えスイッチ６４を制御する。また、制御部６３は、検出部により表示部側筐体部３が所定の温度範囲内の温度（例えば、３０℃〜４０℃）であると検出された場合には、第２のケース部材４３がアンテナの放射素子になるように切り替えスイッチ６４を制御する。
【００７６】
＜光度変化を検出＞
また、検出部は、ユーザによる接触を検出するために、第２のケース部材４３及び表示部側筐体部３における第２のケース部材４３以外の所定の部分（ユーザが接触しそうな部分）に明るさを検出するセンサ（フォトセンサ）の検出素子を配置し、当該検出素子により光度変化を検出する。制御部６３は、検出部により第２のケース部材４３の周囲が所定の光度以下の光度であると検出された場合には、回路基板８０がアンテナの放射素子になるように切り替えスイッチ６４を制御する。また、制御部６３は、検出部により表示部側筐体部３の周囲が所定の光度以下の光度であると検出された場合には、第２のケース部材４３がアンテナの放射素子になるように切り替えスイッチ６４を制御する。
【００７７】
このようにして、携帯電話装置１では、接触状態、温度又は光度に基づいてアンテナの放射素子を選択するため、ユーザの使用状態に応じたアンテナ特性の低下を抑制することができる。なお、携帯電話装置１は、タッチセンサと、温度センサと、フォトセンサとを複合的に利用する構成であっても良い。
【００７８】
＜第４の実施例＞
また、携帯電話装置１は、図１２に示すように、無線回路部３６を含んで構成される回路部３３を表示部側筐体部３に配置し、表示部側筐体部３のみでアンテナの放射素子とグランド部を形成する構成であっても良い。当該構成の場合には、制御部６３は、適宜必要に応じて、回路基板８０をアンテナの放射素子になるように切り替え、第２のケース部材４３をアンテナのグランド部になるように切り替えたり、また、第２のケース部材４３をアンテナの放射素子になるように切り替え、回路基板８０をアンテナのグランド部に切り替えたりする。
なお、第２の導電部及び第３の導電部は、第２のケース部材４３や回路基板８０に限らない。すなわち、第２の導電部及び第３の導電部を、表示部側筐体部３を構成する他の導電性部材（例えばシールドケース６０等）により構成しても良い。
【００７９】
このように構成することにより、操作部側筐体部２に高周波電流が流れ難くなるため、操作部側筐体部２をユーザの手等によって覆ってもアンテナ特性の劣化を回避することができる。
以上説明したように、選択部としての切り替えスイッチ６４は、第２の導電部３５、第３の導電部３７及び給電部３２が選択的に接続される複数の接続状態（第１の接続状態、第２の接続状態及び第３の接続状態）を選択可能に構成される。また、制御部６３は、切り替えスイッチ６４による複数の接続状態の選択を制御する。
本発明に係る携帯端末は、上述した構成に限らず、以下に示すような構成であってもよい。
【００８０】
＜第５の実施例＞
つぎに、第５の実施例について説明する。基本的な構成は、第３の実施例で説明した構成である。第５の実施例では、制御部６３及び切り替えスイッチ６４の構成が第３の実施例とは異なる。
【００８１】
図１３に示すように、第５の実施例では、切り替えスイッチ６４は、第１のスイッチ６４ａと、第２のスイッチ６４ｂとを備える。
【００８２】
第１のスイッチ６４ａ及び第２のスイッチ６４ｂは、第２の導電部３５と給電部３２とが接続される第１の接続状態、第３の導電部３７と給電部３２とが接続される第２の接続状態、又は第２の導電部３５及び第３の導電部３７と給電部３２とが接続される第３の接続状態を選択可能に構成される。また、切り替えスイッチ６４において、第１のスイッチ６４ａの給電部３２側と第２のスイッチ６４ｂの給電部３２側とが接続されている。
【００８３】
そして、制御部６３は、使用周波数帯に応じて第１のスイッチ６４ａ及び第２のスイッチ６４ｂを制御する。
【００８４】
具体的には、制御部６３は、第３の実施例と同様に、制御部６３は、第２のケース部材４３をアンテナの放射素子とするために第１のスイッチ６４ａをＯＮ状態に制御して、第２のケース部材４３に係る第２の導電部３５を無線回路部３６（給電部３２）に接続する（第１の接続状態）。
また、制御部６３は、回路基板８０をアンテナの放射素子とするために第２のスイッチ６４ｂをＯＮ状態に制御して、回路基板８０に係る第３の導電部３７を無線回路部３６（給電部３２）に接続する（第２の接続状態）。
さらに、制御部６３は、第２のケース部材４３及び回路基板８０を一体としてアンテナの放射素子とするために第１のスイッチ６４ａ及び第２のスイッチ６４ｂの両方をＯＮ状態に制御して、第２のケース部材４３に係る第２の導電部３５及び回路基板８０に係る第３の導電部３７を、無線回路部３６（給電部３２）に接続する（第３の接続状態）。
【００８５】
なお、「第１のスイッチ６４ａをＯＮ状態に制御する」とは、第１のスイッチ６４ａの給電部３２側と第２のケース部材４３側とを導通状態に制御することをいう。同様に、「第２のスイッチ６４ｂをＯＮ状態に制御する」とは、第２のスイッチ６４ｂの給電部３２側と第２のケース部材４３側とを導通状態に制御することをいう。
【００８６】
ここで、図１３又は図１４に示すように、携帯電話装置１は、第２のケース部材４３をアンテナの放射素子とする場合（図１４中の第１のアンテナ）、及び回路基板８０をアンテナの放射素子とする場合（図１４中の第２のアンテナ）のいずれかを選択するため、共振感度に応じてアンテナの放射素子を第２のケース部材４３又は回路基板８０に適応的に切り替える機能（選択ダイバーシティ受信機能）を有する。
【００８７】
さらに、携帯電話装置１は、第２のケース部材４３及び回路基板８０を一体としてアンテナの放射素子とする（図１４中の第３のアンテナ）。
これにより、第２のケース部材４３をアンテナの放射素子とする場合、又は回路基板８０をアンテナの放射素子とする場合に比して、第２のケース部材４３及び回路基板８０を一体としたアンテナの放射素子は、電気的な長さが長くなる。このため、例えば、図１４に示すように、第２のケース部材４３及び回路基板８０を一体としたアンテナの放射素子では、第２のケース部材４３をアンテナの放射素子とする場合、又は回路基板８０をアンテナの放射素子とする場合に比して、低い使用周波数帯の信号を受信することができる。
【００８８】
例えば、テレビの放送波（地上波デジタル放送波）のような広い使用周波数帯の信号を受信する場合には、制御部６３は、使用周波数帯を測定し、測定した使用周波数帯が所定の閾値以下であるか否かを判定する。
【００８９】
そして、制御部６３は、使用周波数帯が所定の閾値以下である場合、第１のスイッチ６４ａ及び第２のスイッチ６４ｂの両方をＯＮ状態に制御することにより、第３の接続状態を選択して、第２のケース部材４３及び回路基板８０を一体としたアンテナの放射素子とする。
【００９０】
一方、制御部６３は、使用周波数帯が所定の閾値を超える場合には、第１のスイッチ６４ａ又は第２のスイッチ６４ｂをＯＮ状態に制御することにより、第１の接続状態又は第２の接続状態を選択して、第２のケース部材４３又は回路基板８０をアンテナの放射素子とする。第１の接続状態と第２の接続状態のいずれを選択するかは、受信感度に基づいてもよいし、予め定めた設定に基づいてもよい。
【００９１】
＜第６の実施例＞
つぎに、第６の実施例について説明する。基本的な構成は、第３の実施例で説明した構成である。第６の実施例では、切り替えスイッチ６４に替えて切り替えスイッチ６５を有する点及び回路部３３の構成が第３の実施例とは異なる。
【００９２】
図１５及び図１６に示すように、第６の実施例では、給電部３２と、回路部３３は、無線回路部３６と、制御部６３と、選択部としての切り替えスイッチ６５とを備える。
無線回路部３６は、処理部３６ａと、処理部３６ｂとを含んで構成される。
【００９３】
処理部３６ａは、第２のケース部材４３及び回路基板８０をアンテナの放射素子とする場合（合成ダイバーシティ）において、第２のケース部材４３及び回路基板８０により受信される信号の処理を行う。
処理部３６ｂは、第２のケース部材４３又は回路基板８０をアンテナの放射素子とする場合（選択ダイバーシティ）において、第２のケース部材４３又は回路基板８０により受信される信号の処理を行う。
【００９４】
切り替えスイッチ６５は、第３のスイッチ６５ａと、第４のスイッチ６５ｂとを備える。
第３のスイッチ６５ａは、接点Ｃ１と、接点Ｃ２と、接点Ｃ３とを有する。
第４のスイッチ６５ｂは、接点Ｃ４と、接点Ｃ５と、接点Ｃ６とを有する。
【００９５】
給電部３２は、整合回路３２ａと、整合回路３２ｂと、整合回路３２ｃとを含んで構成される。
【００９６】
整合回路３２ａの一端側は、処理部３６ａと接続され、他端側は、第３のスイッチ６５ａの接点Ｃ１と接続される。整合回路３２ａは、第２のケース部材４３をアンテナの放射素子とする場合に、第２のケース部材４３により受信される信号を調整する。
整合回路３２ｂの一端側は、処理部３６ｂと接続され、他端側は、第３のスイッチ６５ａの接点Ｃ２及び第４のスイッチ６５ｂの接点Ｃ４と接続される。整合回路３２ｂは、第２のケース部材４３及び回路基板８０をアンテナの放射素子とする場合に、第２のケース部材４３及び回路基板８０により受信される信号を調整する。
整合回路３２ｃの一端側は、処理部３６ａと接続され、他端側は、第４のスイッチ６５ｂの接点Ｃ５と接続される。整合回路３２ｃは、回路基板８０をアンテナの放射素子とする場合に、回路基板８０により受信される信号を調整する。
【００９７】
第３のスイッチ６５ａ及び第４のスイッチ６５ｂは、第２の導電部３５と整合回路３２ａとが接続され、第３の導電部３７と整合回路３２ｃとが接続される第４の接続状態（合成ダイバーシティ）、又は第２の導電部３５と整合回路３２ｂとが接続される、或いは第３の導電部３７と整合回路３２ｂとが接続される第５の接続状態（選択ダイバーシティ）を選択可能に構成される。
制御部６３は、所定の条件に基づいて、第４の接続状態又は第５の接続状態のいずれかを選択するように切り替えスイッチ６５を制御する。
【００９８】
ここで、合成ダイバーシティは、弱電界の信号を受信する場合に好ましく、選択ダイバーシティは、フェージングされた信号を受信する場合に好ましい。このため、弱電界の信号を受信する環境下では、合成ダイバーシティを選択することが好ましい。また、中・強電界の信号を受信する環境下では、合成ダイバーシティが処理部３６ａにおいて複雑なアルゴリズムを用いる必要があること、及び消費電力が大きいことから選択ダイバーシティを選択することが好ましい。
【００９９】
具体的には、制御部６３は、第２のケース部材４３及び回路基板８０をアンテナの放射素子とするために、第３のスイッチ６５ａにおいて接点Ｃ１と接点Ｃ３とが接続される状態及び第４のスイッチ６５ｂにおいて接点Ｃ５と接点Ｃ６とが接続される状態に制御して、第２のケース部材４３に係る第２の導電部３５を処理部３６ａ（整合回路３２ａ）に接続し、かつ、回路基板８０に係る第３の導電部３７を処理部３６ａ（整合回路３２ｃ）に接続する（第４の接続状態、図１５参照）。
【０１００】
また、制御部６３は、第２のケース部材４３又は回路基板８０をアンテナの放射素子とするために、第３のスイッチ６５ａにおいて接点Ｃ２と接点Ｃ３とが接続される状態、又は第４のスイッチ６５ｂにおいて接点Ｃ４と接点Ｃ６とが接続される状態に制御して、第２のケース部材４３に係る第２の導電部３５を処理部３６ｂ（整合回路３２ｂ）に接続する、或いは、回路基板８０に係る第３の導電部３７を処理部３６ｂ（整合回路３２ｂ）に接続する（第５の接続状態、図１６参照）。
【０１０１】
ここで、所定の条件としては、以下の（１）〜（３）に示す条件を用いることができる。
（１）所定の条件として共振感度の閾値を用いる
制御部６３は、第４の接続状態における共振感度（受信感度）Ｃを検出する。そして、共振感度Ｃが第４の接続状態において好適に信号を受信できる閾値Ｔ以下になった場合、制御部６３は、第５の接続状態を選択するように第３のスイッチ６５ａ及び第４のスイッチ６５ｂを制御する。
【０１０２】
（２）所定の条件として共振感度を対比する
制御部６３は、第４の接続状態における共振感度Ｃを検出する。また、制御部６３は、第５の接続状態における共振感度（受信感度）Ｄを検出する。
そして、制御部６３は、共振感度Ｃと共振感度Ｄとを対比して、共振感度Ｃが共振感度Ｄよりも高い場合には、第４の接続状態を選択するように第３のスイッチ６５ａ及び第４のスイッチ６５ｂを制御し、共振感度Ｃが共振感度Ｄよりも低い場合には、第５の接続状態を選択するように第３のスイッチ６５ａ及び第４のスイッチ６５ｂを制御する。
なお、制御部６３は、共振感度Ｃと共振感度Ｄの対比を所定時間間隔（例えば、所定の周期で行われる間欠受信を行う間隔）で実行する。
【０１０３】
（３）所定の条件として接触状態、温度又は光度の変化を用いる
上述した第３の実施例と同様に、共振感度ではなく、接触状態、温度変化若しくは光度変化に基づいて第３のスイッチ６５ａ及び第４のスイッチ６５ｂを切り替える構成であっても良い。具体的には、携帯電話装置１は、接触状態、温度変化若しくは光度変化を検出する検出部（不図示）を備えている。
【０１０４】
接触状態を検出する場合には、制御部６３は、検出部により第２のケース部材４３が接触されていると検出された場合には、第４の接続状態又は第５の接続状態における回路基板８０がアンテナの放射素子になるように第３のスイッチ６５ａ及び第４のスイッチ６５ｂを制御する。
また、制御部６３は、検出部により表示部側筐体部３が接触されていると検出された場合には、第４の接続状態又は第５の接続状態における第２のケース部材４３がアンテナの放射素子になるように第３のスイッチ６５ａ及び第４のスイッチ６５ｂを制御する。
【０１０５】
温度変化を検出する場合には、制御部６３は、検出部により第２のケース部材４３が所定の温度範囲内の温度（例えば、３０℃〜４０℃）であると検出された場合には、第４の接続状態又は第５の接続状態における回路基板８０がアンテナの放射素子になるように第３のスイッチ６５ａ及び第４のスイッチ６５ｂを制御する。
また、制御部６３は、検出部により表示部側筐体部３が所定の温度範囲内の温度（例えば、３０℃〜４０℃）であると検出された場合には、第４の接続状態又は第５の接続状態における第２のケース部材４３がアンテナの放射素子になるように第３のスイッチ６５ａ及び第４のスイッチ６５ｂを制御する。
【０１０６】
光度変化を検出する場合には、制御部６３は、検出部により第２のケース部材４３の周囲が所定の光度以下の光度であると検出された場合には、第４の接続状態又は第５の接続状態における回路基板８０がアンテナの放射素子になるように第３のスイッチ６５ａ及び第４のスイッチ６５ｂを制御する。
また、制御部６３は、検出部により表示部側筐体部３の周囲が所定の光度以下の光度であると検出された場合には、第４の接続状態又は第５の接続状態における第２のケース部材４３がアンテナの放射素子になるように第３のスイッチ６５ａ及び第４のスイッチ６５ｂを制御する。
【０１０７】
さらに、上記の（１）〜（３）に示す所定の条件に替えて、以下の（４）及び（５）に示す条件を用いてもよい。
（４）電力の消費状況を用いる
制御部６３は、携帯電話装置１全体における消費電力を抑制する省電力モードに移行した場合又はバッテリ８１の残量電圧が少なくなった場合には、消費電力を抑制するために、第３のスイッチ６５ａ及び第４のスイッチ６５ｂを制御して、第４の接続状態及び第５の接続状態を選択させない。
一方、制御部６３は、バッテリ８１が充電中である場合には、第３のスイッチ６５ａ及び第４のスイッチ６５ｂを制御して、第４の接続状態又は第５の接続状態を選択させる。
【０１０８】
（５）アプリケーションプログラムを用いる
制御部６３は、所定のアプリケーションプログラムによってユーザに第４の接続状態又は第５の接続状態の切り替えを選択させてもよい。ここで、所定のアプリケーションプログラムとしては、例えば、テレビ放送波（地上波デジタル放送波）を受信するためのアプリケーションプログラムを用いることができる。
なお、上述した（１）〜（５）の条件は単一の条件を用いてもよく、複数の条件を組み合わせて用いてもよい。
【０１０９】
このように、携帯電話装置１は、所定の条件を用いて、合成ダイバーシティと選択ダイバーシティとを選択する。したがって、携帯電話装置１は、共振感度の状態に応じてさらなる受信感度の向上を図ることができる。
【符号の説明】
【０１１０】
１  携帯電話装置
２  操作部側筐体部（第１の筐体）
３  表示部側筐体部（第２の筐体）
３０  第１のケース部材
３１  グランド部
３２  給電部
３３  回路部
３４  第１の導電部
３５  第２の導電部
３６  無線回路部（信号処理部）
３７  第３の導電部
４３  第２のケース部材
６３  制御部
６４  切り替えスイッチ（選択部）
【図１】
0005416760.tif 000002
【図２】
0005416760.tif 000003
【図３】
0005416760.tif 000004
【図４】
0005416760.tif 000005
【図５】
0005416760.tif 000006
【図６】
0005416760.tif 000007
【図７】
0005416760.tif 000008
【図８】
0005416760.tif 000009
【図９】
0005416760.tif 000010
【図１０】
0005416760.tif 000011
【図１１】
0005416760.tif 000012
【図１２】
0005416760.tif 000013
【図１３】
0005416760.tif 000014
【図１４】
0005416760.tif 000015
【図１５】
0005416760.tif 000016
【図１６】
0005416760.tif 000017